(57)【要約】【課題】立位及び寝位の何れの状態においても装着し易いおむつを提供すること。【解決手段】液透過性の表面シート、液不透過性の裏面シート及び両シート間に介在された液保持性の吸収体を備え、長手方向の一方の部位の両側部に、ファスニングテープ５を有するフラップ５０を具備するおむつであり、前記表面シート２側を上方に向けて自然状態で水平面Ｇ上に載置し、左右の前記フラップ間の部位の中央部分を該水平面Ｇ上に押しつけたときに、少なくとも一方のフラップ５０が、該フラップの基端部又はその近傍に生じる折れ曲がり部１２を介して上方に向かって起立し、その状態における前記水平面Ｇと前記両フラップ５０それぞれとのなす角度の合計値（θ１＋θ２）が５０〜２２０度である、立位での装着が容易なおむつ。【選択図】　　図３
2004141499.tif 000002
【特許請求の範囲】
【請求項１】
液透過性の表面シート、液不透過性の裏面シート及び両シート間に介在された液保持性の吸収体を備え、長手方向の一方の部位の両側部に、ファスニングテープを有するフラップを具備するおむつにおいて、
前記表面シート側を上方に向けて自然状態で水平面上に載置し、左右の前記フラップ間の部位の中央部分を該水平面上に押しつけたときに、少なくとも一方の前記フラップが、該フラップの基端部又はその近傍に生じる折れ曲がり部を介して上方に向かって起立し、その状態における前記水平面と前記両フラップそれぞれとのなす角度の合計値が５０〜２２０度である、立位での装着が容易なおむつ。
【請求項２】
前記両フラップそれぞれは、おむつ幅方向の一部が肌当接面側に円弧状に湾曲している請求項１記載の立位での装着が容易なおむつ。
【請求項３】
前記両フラップそれぞれに、おむつ幅方向に弾性伸縮するようにサイド弾性部材が配されており、前記サイド弾性部材は、おむつ幅方向中央寄りの一部が前記吸収体に重なって存在しており、前記折れ曲がり部は、該弾性部材と前記吸収体とが重なっている部位に生じる請求項１又は２記載の立位での装着が容易なおむつ。
【請求項４】
前記フラップには、その厚み方向の中央位置より肌当接面側に弾性部材が伸長状態で配設されている請求項１又は２記載の立位での装着が容易なおむつ。
【請求項５】
前記フラップは、少なくとも２枚のシート材が積層されて構成されており、２枚の該シート材は、一方のシート材が他方のシート材に伸長状態で積層接着されており、該一方のシート材側が肌当接面側に位置している請求項１又は２記載の、立位での装着が容易なおむつ。
【発明の詳細な説明】
【０００１】
【発明の属する技術分野】
本発明は、立位及び寝位の何れの状態においても装着し易いおむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られており、展開型の使い捨ておむつは、新生児から使用できることや、製造コストが安いこと等から、最も一般的に用いられている。
【０００３】
従来の一般的な展開型使い捨ておむつは、被装着者（赤ちゃん等）が仰向けに寝ている状態（以下、寝位ともいう）で装着するように設計されている。このため、静かに仰向けに寝ている状態（以下、寝位ともいう）の被装着者（赤ちゃん等）に対しては容易に装着できるが、活動が活発になった幼児期の頃は、おむつ交換をするために寝位で静止していることは少なく、また、寝位になることさえ嫌がる場合も多く、そのような場合に寝位で装着するのは非常に大変である。特に寝位での装着を嫌がったりする場合、例えば、はいはいをして逃げ回ったりする場合には、その装着が容易ではない。そのような子供に対しては四つんばいや立っている状態（以下、立位ともいう）で装着を試みることになるが、従来のおむつでは、この場合も装着は容易ではない。
【０００４】
その一つの要因としては、従来の一般的な展開型使い捨ておむつは、寝位状態の被装着者に対して、その腹側においてファスニングテープをランディングゾーンに止着し装着するように設計されており、それ以外の方法で装着することが困難であるということが挙げられる。例えば、立ち上がった状態の被装着者に対して装着（以下、立位装着ともいう）したり、寝位又は立位の被装着者に対して、その背側でファスニングテープをランディングゾーンに止着して装着することは困難である。
また、他の原因としては寝位での装着の場合では、おむつは被装着者の背中と床（若しくは寝具）などの間に挟まれ、被装着者の荷重により装着位置から移動しにくい状態となっているのに対し、立位での装着の場合では、おむつはどこにも固定されていないために、装着者自身がおむつを装着位置から動かないように保持しながら、装着を行わなければならないことが挙げられる。
このような状況で、親はパンツ型のおむつを使用することを検討しはじめるが、つかまり立ちが始まったばかりのような乳幼児では立って脚を上げることが難しいので、結局パンツ型おむつを使うことを挫折してしまう。結局、親は逃げようとして暴れる子供を押さえ付けながら寝かせておむつ替えをしなければならなかった。
要するに、立位及び寝位の何れ状態においても充分に装着し易い使い捨ておむつは、未だ提供されていない。
【０００５】
尚、特開２００１−１４５６６５号公報（特許文献１）には、収縮材と非収縮材とからなる収縮シート材を用いてサイドフラップ部を肌当接面側に湾曲させた吸収性物品が開示されている。しかし、同公報の例えば図２に記載されたような湾曲のさせ方では、フラップ部の立ち上がり方が不充分で、立位での装着性の向上効果を期待することはできない。
【０００６】
【特許文献１】
特開２００１−１４５６６５号公報
【０００７】
従って、本発明の目的は、立位及び寝位の何れの状態においても装着し易いおむつを提供することにある。
【０００８】
【課題を解決するための手段】
本発明は、液透過性の表面シート、液不透過性の裏面シート及び両シート間に介在された液保持性の吸収体を備え、長手方向の一方の部位の両側部に、ファスニングテープを有するフラップを具備するおむつにおいて、前記表面シート側を上方に向けて自然状態で水平面上に載置し、左右の前記フラップ間の部位の中央部分を該水平面上に押しつけたときに、少なくとも一方の前記フラップが、該フラップの基端部又はその近傍に生じる折れ曲がり部を介して上方に向かって起立し、その状態における前記水平面と前記両フラップそれぞれとのなす角度の合計値が５０〜２２０度である、立位での装着が容易なおむつを提供することにより、前記目的を達成したものである。
【０００９】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えている。使い捨ておむつ１は、幼児用の展開型の使い捨ておむつであり、長手方向の中央部に股下部Ａを有しており、長手方向における該股下部Ａの前後に、ファスニングテープ５を有する一対のフラップ５０を備えた第１部（長手方向の一方の部位）Ｂ、及びファスニングテープ５を止着するランディングゾーン５１が外表面に設けられた第２部Ｃを有している。股下部Ａは、着用時に着用者（被装着者）の股下部（股間部）に配される部位である。ここで、フラップとは、吸収体のない領域のことである。
【００１０】
使い捨ておむつ１は、股下部Ａの両側縁が円弧状に形成されており、全体として、長手方向中央部が括れた砂時計状の形状を有している。
表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。
表面シート２及び裏面シート３は、それぞれ、吸収体４の両側縁４１，４１及び両端縁４２ａ，４２ｂから外方に延出しており、それらの延出部において互いに接合されている。裏面シート３の長手方向の両側部は、表面シート２の両側縁から幅方向外方に延出している。
【００１１】
使い捨ておむつ１における長手方向の両側には、一対の立体ギャザー６，６がそれぞれおむつの長手方向に沿って形成されている。各立体ギャザー６は、弾性部材６１を有する立体ギャザー形成用のシート材６２を表面シート２の両側縁の外方から内方に亘るように配設して形成されている。各シート材６２は、吸収体４の側縁４１と後述するレッグ部弾性部材７１との間において、長手方向に亘って直線状に表面シート２上に固定されており、その直線状の固定部が立体ギャザー６の固定端６４となっている。各シート材６２は、前記固定端６４よりも幅方向外方に位置する部分が表面シート２又は裏面シート３上に固定されており、また、おむつの長手方向両端部近傍における該固定端６４よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に複数本配されている。
【００１２】
また、使い捨ておむつ１の幅方向における、一対の立体ギャザー６，６よりも更に外側には、それぞれレッグ部弾性部材７１，７１が、直線状に配設されてレッグギャザー７，７が形成されている。
前記弾性部材６１及び前記レッグ部弾性部材７１は、何れも使い捨ておむつ１の長手方向に沿って配設された弾性部材であり、第１部Ｂと第２部Ｃとの間に亘って配設されている
【００１３】
また、第１部Ｂ及び第２部Ｃのウエスト部Ｄには、両フラップ５０，５０間に亘るようにウエスト部弾性部材８１が伸長状態で配設されてウエスト伸縮部８が形成されており、また、第１部Ｂの両フラップ５０，５０それぞれには、おむつ幅方向に弾性伸縮するようにサイド弾性部材９１が配されてサイド伸縮部９が形成されている。尚、ウエスト部Ｄは、着用時に着用者の腰回りに配される部分であり、おむつの長手方向の両端部分を構成している。サイド弾性部材９１は、胴回り部（前記ウエスト弾性部材８１が配された部位より股下部方向に位置する部位）Ｅに配されている。
【００１４】
両フラップ５０のサイド弾性部材９１は、おむつの製造工程において、一旦おむつを幅方向に横切るように連続的に配された後、切断されて左右に分割されたものであり、吸収体４の幅方向中央領域には存在していない。
【００１５】
各フラップ５０のサイド弾性部材９１は、図２、図３に示すように、本体部分１０内に固定されたファスニングテープの固定部分５２と吸収体側部（フラップの基端部５３よりも吸収体内側）に亘るように配され、その間の全域（吸収体と重なって存在する部分も含む）で弾性伸縮性を発現している。そして、サイド弾性部材９１のおむつ幅方向中央寄りの一部９１ａが吸収体４に重なって存在している部分１１において、後述する折れ曲がり部１２が生じて、おむつ１が幅方向に折れ曲がるようになっている。尚、サイド弾性部材９１の吸収体４に重っている部分９１ａは、おむつの厚み方向における吸収体４よりも肌当接面側に配されている。
【００１６】
本実施形態のおむつ１は、図６に示すように、に示すように、表面シート２側を上方に向けて自然状態で水平面Ｇ上に載置し、左右のフラップ５０，５０間の部位の中央部分を該水平面Ｇ上に押しつけたときに、両フラップ５０が、該各フラップ５０の基端部５３の近傍に生じる折れ曲がり部１２（図２及び図３参照）を介して上方に向かって起立し、その状態における前記水平面Ｇと前記両フラップ５０それぞれとのなす角度θ１，θ２の合計値（θ１＋θ２，以下展開角度という）が５０〜２２０度、好ましくは６０〜２００度、更に好ましくは９０〜１８０度である。尚、折れ曲がり部１２が生じる基端部５３の近傍は、吸収体の側縁４１が位置するおむつ幅方向の位置（フラップ５０の基端部５３の位置に同じ）から左右それぞれに３０ｍｍ以内、好ましくは２０ｍｍであることが好ましい。また、基端部５３又はその近傍に生じるという表現は、フラップ５０，５０間の部位の中央部分を水平面Ｇ上に押しつける前から折れ曲がり部１２が生じているものを排除するものではない。
【００１７】
展開角度の測定方法を、図６を参照しながら説明する。
先ず、おむつの第１部Ｂにおける、おむつ長手方向の端部１３から１００ｍｍまでの部位Ｂ’を、おむつを幅方向に切断して取り出す。そして、取り出した部位Ｂ’の幅方向（おむつ幅方向と同じ方向）の中央部に、底面が長さ９５ｍｍ、幅６５ｍｍの矩形状である２ｋｇの錘１４を、錘１４の幅を前記部位Ｂ’の幅方向に一致させて載せる。そして、左右のフラップ５０，５０を、図６に一点鎖線で示すように、幅方向に広げて１８０度展開された状態とし、その状態を１０秒間維持する。そして、静かに開放して３０秒後に切断面１６側から、該水平面Ｇと各フラップ５０の立ち上がり部分５６とのなす角度θ１（θ２）を測定し、両角度の合計値（θ１＋θ２）を算出する。この操作を５つのサンプルについて行い、それらの平均値を展開角度とする。
【００１８】
このように、フラップが立体的に立ち上がることで、立位での装着し易さを格段に向上させることができる。
即ち、おむつを、立位状態の被装着者の股間部にあてがうと、フラップが自然に着用者の胴回りに巻き付くようにフィットし、おむつをあてがった状態が安定するため、手を一時的におむつから離した場合であっても、おむつの落下やずり落ちが生じにくい。そのため、装着作業を急がずに安心して行うことができる。
また、おむつを股間部にあてがうと、ファスニングテープ５を有する第１部Ｂの各フラップ５０が自然に、ランディングゾーン５１を有する第２部Ｃの近傍に位置するため、フラップ５０又はファスニングテープ５１を手で引っ張ることができ、ファスニングテープ５を容易に止着することができる。また、一旦止着したテープを、止着位置の修正のために剥離し、その状態において手を離してしまったような場合であっても、おむつが大きくずり落ちたりしない上に、フラップ５０が、手の届かない範囲まで逃げてしまうようなこともないので、再止着を容易に行うことができる。
しかも、立位装着によっても股間部吸収体位置が適正な位置に装着されることから、漏れ防止性能が高いという効果も得られる。
【００１９】
本発明の効果をより有効なものとするには、両フラップとも起立して、その展開角度が上述の範囲であることが好ましい。本実施形態では、左右のフラップに対称にサイド弾性部材９１が設けられ、しかもサイド弾性部材９１と吸収体４の重なり具合が左右フラップでほぼ同じにしてあるので、左右の両フラップがともに起立する。各フラップの起立角度〔前記水平面Ｇと各フラップ５０の立ち上がり部分５６とのなす角度θ１（θ２）〕は２０度以上であることが好ましく、特に２５〜１２５度であると、立位での装着性が格段に良好となるので好ましい。
【００２０】
従来のおむつは、仰向けの状態で被装着者（赤ちゃんなど）におむつを装着する事が前提であり、このため、寝位での装着し易さだけを前提としており、おむつの背中側（即ち、ファスニングテープが配された側）が平面状に広がっていた方がお尻の下におむつを敷き易いと考えられていた。仮に、ファスニングテープが配されているフラップ部分が縮んでいたりして立体的になっていると、被装着者のお尻や背中がおむつに挿入し難いことから、そのような形態は暗黙の内に排除されていた。しかしながら、本発明者らは、テープ止めタイプのおむつを立位で装着するという全く新しい装着方法を提起し、特定の高さ以上に上記両フラップが起立するという構成を採用することで、その装着し易さと高い漏れ防止性能を両立させたのである。更に、斯かる構成によって寝位での装着性も向上させることができた。
【００２１】
おむつの両フラップ５０，５０それぞれは、図３に示すように、おむつを、表面シート２側を上方に向けて自然状態で水平面Ｇ上に載置し、左右のフラップ間の部位の中央部分を該水平面Ｇ上に押しつけた状態において、おむつ幅方向の一部、特に幅方向のほぼ全体が肌当接面側に円弧状に湾曲していることが、寝位での装着性を確保する目的で好ましい。
【００２２】
フラップ５０を立体的に立ち上がらせるためには、本実施形態のおむつにおけるように、両フラップ５０，５０それぞれに、おむつ幅方向に弾性伸縮するようにサイド弾性部材９１が配され、そのサイド弾性部材９１が、おむつ幅方向中央寄りの一部９１ａが吸収体４に重なって存在し、該弾性部材９１と吸収体４とが重なっている部位１１において、おむつ１が幅方向に折れ曲がるようにすることが好ましい。
サイド弾性部材９１と吸収体４とが重なる部位１１に、おむつが幅方向に折れ曲がる折れ曲がり部１２が形成されているようにすることで、該折り曲げ部１２を境にした幅方向両側の部位に対して互いの方向に形状を保持しようとする力が働くので、上記両フラップが起立し易く、起立性を保ち易い。従って、上記両フラップの起立形状は安定的に形成される。尚、折れ曲がり部を形成する手段としては、サイド部弾性部材９１を上述した態様で配設する方法の他、折りグセを付けたり、厚みを薄くした部分、エンボス線などを設ける方法が挙げられる。
【００２３】
吸収体４とサイド弾性部材９１との重なり部分１１は、おむつ幅方向の幅Ｗ１（図２参照）が５ｍｍ以上、特に５〜５０ｍｍ、更には１０〜４５ｍｍであることが、フラップの起立形状が安定に保たれ易くなるので好ましい。また、重なり部分１１はおむつ長手方向の長さＬ１（図２参照）が１０ｍｍ以上、特に１０〜５０ｍｍ、更には１４〜４５ｍｍであることが、同様の理由から好ましい。更に、サイド弾性部材９１はおむつの自然状態で２０ｍｍ以上、好ましくは３０ｍｍ以上、更に好ましくは４０ｍｍ以上に亘って各フラップ部に配されていることが好ましい。
【００２４】
本実施形態のおむつ１は、おむつを長手方向に２等分する中央線ＣＬ（図１参照）の両側の飽和吸収容量、即ち長手方向中央線ＣＬの両側に位置する両部分Ｆ，Ｇの飽和吸収容量の比（部分Ｆ／部分Ｇ）が４５／５５〜５５／４５であり、そのため、第１部Ｂを着用者の腹側に位置させ、ファスニングテープ５，５を着用者の背側にてランディングゾーン５１に止着する装着方法（以下、背側装着ともいう）で装着した場合においても尿漏れが生じない。
即ち、本実施形態のおむつ１は、第１部Ｂを着用者の背側に位置させ、ファスニングテープ５，５を着用者の腹側にてランディングゾーン５１に止着する装着方法（以下、腹側装着ともいう）で装着できるのみならず、前記背側装着でも容易に装着することができ、何れの場合において漏れが生じない。装着の向きを問わずに尿漏れが生じないようにする観点から、前記飽和吸収容量の比（部分Ｆ／部分Ｇ）は４８／５２〜５２／４８であることが好ましく、両部分の飽和吸収容量は、両者の差が小さい程好ましい。
【００２５】
ここで、おむつの長手方向中央線ＣＬの両側の飽和吸収容量は、以下のようにして測定される。
〔飽和吸収容量の測定方法〕
先ず、おむつ１をその長手方向を２等分する中央線ＣＬで、幅方向に切断する。そして、立体ギャザー及びレッグギャザーを切断して除去する。更に、胴回り部に配された伸縮部を切断する。但し、吸収層の構造が破壊又は切断されることがないように留意する。容器から水平に取り出せるように加工した金網に、切断したおむつを載せ、金網ごと重量を測定する。予め側面下部に溶液を排出する開口部を設けた容器内に金網ごとおむつを入れ、排泄開口部を閉じ、０．９重量％の生理食塩水を吸収体が完全に浸漬するように注入する。このときに、おむつの切断端部からポリマー等が脱落しないように注入速度を調節する。完全浸漬後３０分放置する。その後、排出開口部を下側にして容器ごと１０度傾け、排出開口部を開き、容器内の溶液を排出する。３０分放置後、容器から金網ごとおむつを取り出し、金網ごと重量を測定する。「試験終了後の重量」−「試験開始前の重量」からおむつの吸収量を算出し、この値を飽和吸収量（ｇ）とする。
【００２６】
本実施形態の使い捨ておむつ１における各部の形成材料について説明する。
表面シート２、裏面シート３、吸収体４、及立体ギャザー形成用のシート材６２、ランディングゾーン５１形成用のランディングテープ等の形成材料としては、従来、使い捨ておむつに用いられている各種公知の材料を特に制限なく用いることができる。
【００２７】
ファスニングテープ５は、機械的面ファスナーのオス部材からなる止着部を有するものでも、粘着剤を塗布して形成した粘着部を有するものでも良い。また、裏面シート３の外表面側を係合性に富む素材により形成し、それをランディングゾーン５１として利用することもできる。
【００２８】
立体ギャザー形成用の弾性部材６１、レッグ部弾性部材７１、ウエスト部弾性部材８１及びサイド弾性部材９１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００２９】
ウエスト弾性部材８１としては、着用者の肌にソフトに当たること、そして素材の曲げ弾性によって本発明の好ましい形状を与えることから、ウレタン製の発泡体が好ましい。
【００３０】
サイド弾性部材としては、十分な弾性応力を与えることができる糸ゴム又は平ゴムを用いることが好ましい。更には、糸状のゴムとして２８０〜１２４０ｄｔｅｘ、好ましくは５００〜８００ｄｔｅｘのものを、５〜１５本、好ましくは７〜１０本用いるとフラップ部分が本発明の形状にしつつも着用者肌に対して窮屈な感触を与えないでしっかりとフィットするので、好ましい。このような糸状ゴムとしては、例えば「Ｌｙｃｒａ」（登録商標；東レデュポン社製）を好ましく用いることができる。また、同様の観点から、この糸状ゴムの自然長を１００％としたときに、おむつ内では１５０〜２５０％の伸長状態で配されていることが好ましい。
【００３１】
以上、本発明の好ましい一実施形態について説明したが、本発明は、上述した実施形態に制限されず、本発明の趣旨を逸脱しない範囲で種々変更が可能である。
例えば、フラップ５０，５０間の中央部分を水平面Ｇ上に押しつけたときの各フラップ５の立ち上がり形状は、図４に示すように、ファスニングテープ５の重みによってフラップ５０の側縁部が垂れ下がることにより、フラップ５０の側縁部以外の部位（幅方向の中央部等）が最高位置Ｐとなるような形状であっても良い。
【００３２】
フラップを立体的に大きく立ち上がらせる方法は、図５（ａ）に示すように、フラップ５０の厚み方向の中央位置より肌当接面側にサイド弾性部材９１を配設する方法、図５（ｂ）に示すように、２枚のシート材の収縮率の差を利用して湾曲させる方法等を挙げることができる。これらの方法は、それぞれ単独で又は本明細書に記載された構成要件又は記載されていない他の構成要件と組み合わせて採用することができる。
尚、図５（ｂ）に示す例では、フラップ５０が、少なくとも２枚のシート材５４，５５が積層されて構成されており、２枚の該シート材は、一方のシート材５４が他方のシート材５５に伸長状態で積層接着され、該一方のシート材５４側が肌当接面側に位置し、該シート材５４の収縮により、肌当接面側に湾曲する。
本発明の使い捨ておむつは、成人用の使い捨ておむつであっても良いが、幼児（ベビー）用の使い捨ておむつ、特におむつ換えを嫌がる幼児用に適している。
【００３３】
【実施例】
＜実施例１，２＞
図１，図２に示す形態の使い捨ておむつを製造した。
製造した使い捨ておむつの展開角度（θ１＋θ２）、吸収体４とサイド弾性部材９１との重なり部分の幅Ｗ１、及び重なり部分の長手方向の長さＬ１を表１に示した。尚、おむつは、フラップ間を押さえつけた状態において、重なり部分の幅内に折れ曲がり部１２が生じ、また、フラップの一部が円弧状に湾曲した。
【００３４】
＜比較例１＞
実施例１において、サイド弾性部材が吸収体と全く重ならない（即ち、Ｗ１、Ｌ１ともに０ｍｍ）のおむつを製造した。このおむつは、重なり部分の幅内において、有効に屈曲しなかった。
【００３５】
＜性能評価（装着のし易さの評価）＞
実施例及び比較例の使い捨ておむつについて、寝位状態及び立位状態の幼児に対する装着のし易さを評価した。装着方法は、第１部を着用者の背側に位置させ、ファスニングテープを着用者の腹側においてランディングゾーンに止着する方法（腹側装着）とした。
紙おむつを使用して子育てしている１１名に、実施例及び比較例の使い捨ておむつを渡し、各使い捨ておむつについて、寝位及び立位での装着を行ってもらった。
装着テストは、先ず、比較例のおむつについて寝位及び立位での装着テストを行い、次いで、各実施例のおむつについて寝位及び立位での装着テストを行った。
各おむつについて、各装着方法毎に、以下の評価基準で装着のし易さを評価してもらい、一番評価の多いものをそのおむつのその装着方法についての評価とした。その結果を表１に合わせて示した。
（評価基準）
○；装着しやすい。
△；やや装着し易い。
×；装着し難い。
【００３６】
【表１】
2004141499.tif 000003
【００３７】
表１に示す結果から、本発明（実施例１，２）の使い捨ておむつは、立位での装着性が比較例のものに比べて優れており、立位及び寝位の何れの状態においても装着し易いものであることが判る。
【００３８】
【発明の効果】
本発明のおむつは、立位及び寝位の何れの状態においても装着し易いものである。
【図面の簡単な説明】
【図１】図１は、本発明の一実施形態としての使い捨ておむつを、各部の弾性部材を伸張させ平面状に拡げた状態（緊張状態）を示す平面図である。
【図２】図２は、図１の使い捨ておむつの一部を拡大して示す要部拡大図である。
【図３】図３は、表面シート側を上方に向けて自然状態で水平面上に載置し、左右の前記フラップ間の部位の中央部分を該水平面上に押しつけた状態における、図２のＸ−Ｘ線断面を模式的に示す図である。
【図４】図４は、本発明の他の実施形態としての使い捨ておむつの要部を示す図である。
【図５】図５（ａ）及び図５（ｂ）は、本発明の更に他の実施形態のおむつにおけるフラップの断面を示す図である。
【図６】図６は、表面シート側を上方に向けて自然状態で水平面上に載置し、左右の前記フラップ間の部位の中央部分を該水平面上に押しつけたときの、該水平面と前記両フラップそれぞれとのなす角度の合計値を測定する方法を示す図である。
【符号の説明】
１　　使い捨ておむつ
２　　表面シート
３　　裏面シート
４　　吸収体
５　　ファスニングテープ
５０　フラップ
５１　ランディングゾーン
５２　折れ曲がり部
５３　フラップの基端部
５６　フラップの立ち上がり部
６　　立体ギャザー
７　　レッグギャザー
８　　ウエスト伸縮部
８１　ウエスト部弾性部材
９　　サイド伸縮部
９１　サイド弾性部材
Ａ　　股下部
Ｂ　　第１部（長手方向の一方の部位）
【図１】
2004141499.tif 000004
【図２】
2004141499.tif 000005
【図３】
2004141499.tif 000006
【図４】
2004141499.tif 000007
【図５】
2004141499.tif 000008
【図６】
2004141499.tif 000009